(57)【要約】      （修正有）【課題】動力部を選択的に採用できるので、システムの使用範囲を拡大し、構成部品を圧力タンクに集約してシステムを構成した集約型微細気泡発生装置を提供する。【解決手段】圧力タンク１０に水を供給する流入管の圧力検知を行う圧力検知部２２１と、圧力タンク１０に外気を供給させる第１真空チャンバー２２２を制御する電源制御部２２０と、所定圧力下で水と空気を混合し物理的に水を粉砕し微細気泡を発生させる圧力タンク１０とからなった集約型気泡発生部２４０と、電子制御部２１０の制御によって流入管からの水を気泡発生部２４０に供給するようにモーター２０７によって作動するポンプ２０６と、逆止弁２０８を経由して外気をポンプ２０６に供給する第２真空チャンバー２０９で構成される動力部２３０とからなるので、動力部がなくても水道栓と生活用水用シャワー栓に直結して、水を物理的に粉砕して所定圧力下で空気と混合させ、微細気泡を発生させる。【選択図】図２
2009045619.tif 000002
【特許請求の範囲】
【請求項１】
集約型微細気泡発生装置において、
三方弁を制御して流入管からの流入水を気泡発生部と動力部のうちいずれかに供給し、圧力タンクに水を供給する流入管の圧力検知を行う圧力検知部と、圧力タンクに外気を供給させる第１真空チャンバーの作動を制御する電源制御部と、内部の所定圧力下で水と空気を混合し物理的に水を粉砕させることによって微細気泡を発生させる圧力タンクとからなった集約型気泡発生部と；
電子制御部の制御によって流入管からの水を気泡発生部に供給するようにモーターによって作動するポンプと、給気管を通じて外気をポンプに供給すると共に、逆止弁を経由して外気をポンプに供給する第２真空チャンバーで構成される動力部と；からなることを特徴とする集約型微細気泡発生装置。
【請求項２】
集約型微細気泡発生部において、
その内部が真空チャンバーで構成され、所定負圧が形成されるようにして微細気泡を発生させる空気逆止弁と、第１真空チャンバーから流入した外気を噴射する空気ノズルと、流入管からの水を圧縮噴射するスプレーが上部に設けられた圧力タンクと；
この圧力タンクの下段部に設けられ、倒立したＴ字状の胴体でなっており、入口部に流入する飲用水や生活用水を真空チャンバーに誘導する垂直の第１案内通路と、第１案内通路の端部に設けられて流入する飲用水や生活用水を粉砕して噴射する微粒水発生部と、所定の負圧が形成された真空チャンバーで外部空気と混ざり合った微細気泡を含有した混合水を微粒化する水粉碎機と、この水粉碎機がその入口端に設けられ、水平の排出口に誘導する第２案内通路と、第１案内通路と連通する第１連通路と、第２案内通路と連通する第２連通路を形成し、その内部にピストンを設けたシリンダーで構成される気泡発生制御部と；からなることを特徴とする集約型微細気泡発生装置。
【請求項３】
空気逆止弁は、逆止弁を備える胴体と、この胴体の上面に一側が固定され、逆止弁を支持するリング部と、リング部の他側に固定され、逆止弁に外気を供給するように上面が網になっており、胴体の中間周りに多数のスリットを形成したギャップ部と、から構成される請求項２に記載の集約型微細気泡発生装置。
【請求項４】
微粒水発生部は、第１案内通路に一側端部が固定され、他側端部には噴射口が形成され、真空チャンバーの高さよりやや低いパイプと、このパイプ内部に所定幅の網が螺旋状に外嵌された螺旋体と、からなる請求項２に記載の集約型微細気泡発生装置。
【請求項５】
水粉碎機は、その中心に微細貫通孔が形成され、円周周りには多数の凹溝が形成されて第２案内通路に密着して設けられる分配オリフィスである請求項２に記載の集約型微細気泡発生装置。
【請求項６】
水粉碎機は、内部のほぼ中心に形成された段差部により二つの空間が形成されるノズル胴体と；このノズル胴体の上段に少なくとも３個以上のベンチュリ空間を形成するように一つのリング及び二つの網ディスクからなる群が少なくとも３個以上積層され、上段に少なくとも３個の微細孔が形成されたノズルを設けたノズル部と；を含み、前記ノズル胴体は、下段を空間として円周周りに複数のノズル孔が形成され、その胴体の上段にはフランジが形成され、このフランジが第２案内通路に設けられることによって、胴体と案内通路との間に間隙が形成されるようにするノズル粉碎機である請求項２に記載の集約型微細気泡発生装置。
【請求項７】
気泡発生制御部は、入口部にから延びて真空チャンバーと連通する垂直の第１案内通路と、出口部から延びて真空チャンバーと連通する第２案内通路が形成される垂直部と、その内部を所定空間としてピストンが設けられる水平部とからなる胴体を含む請求項２に記載の集約型微細気泡発生装置。
【請求項８】
微粒水発生部の胴体は、その入口部にモーターポンプに連結されて飲用水や生活用水の供給を受けることができるようにした請求項２または７に記載の集約型微細気泡発生装置。
【発明の詳細な説明】
【技術分野】
【０００１】
本発明は、システムの一部として構成される構成部品に集約される圧力タンクとシステムの使用範囲を拡大するためにシステムに選択的に適合される動力部とからなる集約型微細気泡発生装置の提供に関するものである。
【背景技術】
【０００２】
微細気泡発生器は浴槽で使用する水に気泡を発生させてマッサージと同一な効果を得るもので、多様な種類の装置が開発されている。その代表的な例としては、特許文献１に開示された微細気泡発生装置がある。
【０００３】
図１に示すように、この微細気泡発生装置１００が作動すると、制御部１２０が給水弁１１５を作動させると共に、圧力タンク１２１内の圧力と温度を検知する圧力センサー１２２及び温度検知センサー１２３から検知信号を受信する。これと同時に制御部１２０は、駆動モーター１１１を通電させてポンプ１１２を作動させると、ポンプにより発生する圧送力により水タンク内の貯蔵水Ｗは吸収口１１３と給水管１１４を通じて吸引された後、水平衡機１１６と連結管１１７を経由して圧力タンク１２１に供給される。圧力タンク１２１からの水は出水管１２８を通じて流出する。この時、圧力タンク１２１はその内部に流入する水によって所定の圧力状態になり、上部に備えられたブリーダー１２４によって内部の圧力が調節される。このような圧力を形成するために給水弁１１５とポンプ１１２との間には給気管１１９を介して真空チャンバー１３０が連結されている。真空チャンバー１３０を通じて所定圧力に圧縮された外部空気がポンプ１１２に流入すると、この圧縮空気は空気清浄フィルター１３１を経由してろ過され清浄空気になった後、給気制御弁１３３に給気される。給気制御弁１３３は連結管１１７に接続されている水圧作用管１１1を通じてポンプ１１２の水圧を検知する。したがって、給気制御弁１３３は検知した水圧に基づいて空気浄化フィルター１３２を通過しながら浄化された一定量の空気を真空チャンバー１３０に給気させる。
【０００４】
このような構成を有する微細気泡発生装置１００は圧力タンク１２１の内部圧力を一定に維持するだけでなく、一定量の微細気泡を発生させることによって、システムを安定化させる長所を有する。
【０００５】
しかし、微細気泡発生装置１００は圧力タンク１２１が一定の内部圧力になるまでシステムが作動した時点から一定時間待機しなければならないので、商品性を低下させる結果を招く。また、微細気泡発生装置１００はポンプ１１２を設けなければならないため、その使用に制限があり、構成部品がいくつかに分散されてシステムの用途に制限がある。このような点に鑑みて構成部品を統合し、その使用範囲を拡大することが非常に好ましい。すなわち、上水道と生活用水への適用時には次の事項に留意しなければならない。
【０００６】
水道水は一般的に安全に飲むために、煮沸して有害性分を除去する。この時、最も通常に使用する方法は、麦やとうもろこし粒の茶を入れて煮ることである。その理由は消毒薬の臭いを除去して煮ても、一日程度放置しなければ揮発性汚染物を除去することができないからである。それ以外にも水道水に炭を入れて浄化する方法を利用することもある。
一方、良質の水としてミネラルウォーターが推薦されており、その理由はミネラルウォーターが酸素とミネラルを豊富に含んでいるからである。このような点で、良い水とは、においや有害物質が除去され、ミネラル(カルシウム、マグネシウム、ナトリウムなど)が豊富に溶けており、アルカリ性でありながら、活性酸性をなくした抗活性酸素機能を有する部類に属するものをいう。
【０００７】
このような点で、本出願人が出願した特許文献２には微細気泡浄水器が開示されている。この微細気泡浄水器は既存の浄水器の短所を解決するために、六角水を再生し、活性酸素をなくすように陰イオンを有した微細気泡を生成する構成を有する。このために浄水器に設けられる微細気泡発生器は浄水を保存する貯水槽の水を処理して微細気泡を含有させるようにする。
【０００８】
すなわち、ポンプは貯水槽の水をＴ字連結管を経由してその内部に誘導する。この時、Ｔ字連結管は真空チャンバーと連結されるので、浄化された外気と貯蔵タンクからの酸素または炭素ガスを浄水と混合させる。このように混合した浄水はポンプの内部に誘導され、微粒子で粉砕されて貯水槽に供給される。一方、真空チャンバーは空気を浄化する空気浄化フィルターから浄化された空気を供給する外気供給部に連結される。外気供給部は給気管と給気制御弁を備え、ポンプの出口端で水圧作動管に連結されてその作動を制御するように構成される。
【０００９】
以上のように、微細気泡発生器はモーターポンプの給水部側に真空チャンバーが設けられることが分かる。しかし、この真空チャンバーは小型であるが、内部体積が小さいため内部を所定の真空状態に維持させて一定の背圧状態を維持することが難しい短所を有する。その理由は外気供給管の給気制御弁を外部の電子信号によって精密に制御しなければならないからである。
【００１０】
このような事実に鑑みると、微細気泡発生器はモーターポンプがなくても外気供給部または給気管と真空チャンバー、または圧力タンクを一体化してコンパクトの構造に構成すると、非常に好ましいことが分かる。
【００１１】
また、微細気泡発生器は物理的に微細気泡を発生させる水粉碎機を一体に備えることが非常に好ましい。
【００１２】
さらに、微細気泡発生器は家庭などで一定の水圧を有する給水パイプに設けても所定の微粒子大きさにな微細気泡を発生させると、非常に革新的であり得る。
【００１３】
【特許文献１】韓国特許第７８７０４２号公報
【特許文献２】韓国特許第８４４８７０号公報
【発明の開示】
【発明が解決しようとする課題】
【００１４】
このような点に鑑みてなされた本発明は、動力部を選択的に採用できるので、使用範囲を拡大し、構成部品を一つのユニットに集約してシステムを構成した集約型微細気泡発生装置を提供することにその目的がある。
【００１５】
本発明の他の目的は一定の水圧を有する水道栓に直結でき、空気供給部を圧力タンクに単一体で設けて内部を所定の負圧状態に形成することによって、微細気泡を発生させる集約型微細気泡発生装置を提供することにある。
【００１６】
本発明のもう一つの目的は圧力タンク内に供給水を物理的に一回以上粉砕して微細気泡を発生させる一つ以上の水粉碎（砕）機を設けた集約型微細気泡発生装置を提供することにある。
【課題を解決するための手段】
【００１７】
前述の目的を達成するための本発明に係る集約型微細気泡発生装置は、三方弁を制御して流入管からの流入水を気泡発生部と動力部のうちいずれかに供給し、圧力タンクに水を供給する流入管の圧力検知を行う圧力検知部と、圧力タンクに外気を供給させる第１真空チャンバーの作動を制御する電源制御部と、内部の所定圧力下で水と空気を混合し物理的に水を粉砕させることによって微細気泡を発生させる圧力タンクとからなった集約型気泡発生部と；電子制御部の制御によって流入管からの水を気泡発生部に供給するようにモーターによって作動するポンプと、給気管を通じて外気をポンプに供給すると共に、逆止弁を経由して外気をポンプに供給する第２真空チャンバーで構成される動力部と；からなることを特徴とする。
【００１８】
また、本発明に係る集約型微細気泡発生部は、その内部が真空チャンバーで構成され、所定負圧が形成されるようにして微細気泡を発生させる空気逆止弁と、第１真空チャンバーから流入した外気を噴射する空気ノズルと、流入管からの水を圧縮噴射するスプレーが上部に設けられた圧力タンクと；この圧力タンクの下段部に設けられ、倒立したＴ字状の胴体でなっており、入口部に流入する飲用水や生活用水を真空チャンバーに誘導する垂直の第１案内通路と、第１案内通路の端部に設けられて流入する飲用水や生活用水を粉砕して噴射する微粒水発生部と、所定の負圧が形成された真空チャンバーで外部空気と混ざり合った微細気泡を含有した混合水を微粒化する水粉碎機と、この水粉碎機がその入口端に設けられ、水平の排出口に誘導する第２案内通路と、第１案内通路と連通する第１連通路と、第２案内通路と連通する第２連通路を形成し、その内部にピストンを設けたシリンダーで構成される気泡発生制御部と；からなることを特徴とする。
【００１９】
ここで、空気逆止弁は、逆止弁を備える胴体と、この胴体の上面に一側が固定され、逆止弁を支持するリング部と、リング部の他側に固定され、逆止弁に外気を供給するように上面が網になっており、胴体の中間周りに多数のスリットを形成したギャップ部と、から構成されるのが好ましい。
【００２０】
また、微粒水発生部は、第１案内通路に一側端部が固定され、他側端部には噴射口が形成され、真空チャンバーの高さよりやや低いパイプと、このパイプ内部に所定幅の網が螺旋状に外嵌された螺旋体と、からなるのが好ましい。
【００２１】
また、水粉碎機は、その中心に微細貫通孔が形成され、円周周りには多数の凹溝が形成されて第２案内通路に密着して設けられる分配オリフィスであることが好ましい。
【００２２】
さらに、水粉碎機は、内部のほぼ中心に形成された段差部により二つの空間が形成されるノズル胴体と；このノズル胴体の上段に少なくとも３個以上のベンチュリ空間を形成するように一つのリング及び二つの網ディスクからなる群が少なくとも３個以上積層され、上段に少なくとも３個の微細孔が形成されたノズルを設けたノズル部と；を含み、前記ノズル胴体は、下段を空間として円周周りに複数のノズル孔が形成され、その胴体の上段にはフランジが形成され、このフランジが第２案内通路に設けられることによって、胴体と案内通路との間に間隙が形成されるようにするノズル粉碎機であることが好ましい。
【００２３】
さらに、気泡発生制御部は、入口部にから延びて真空チャンバーと連通する垂直の第１案内通路と、出口部から延びて真空チャンバーと連通する第２案内通路が形成される垂直部と、その内部を所定空間としてピストンが設けられる水平部とからなる胴体を含むことが好ましい。
【００２４】
またさらに、微粒水発生部の胴体は、その入口部にモーターポンプに連結されて飲用水や生活用水の供給を受けることができるようにすることが好ましい。
【発明の効果】
【００２５】
本発明によれば、モーターとポンプで構成される動力部を選択的に利用するようにして、大容量の微細気泡を発生させることができ、別の動力部を構成しなくても水道栓やシャワー栓に直結して設けて水道水やシャワー水が陰イオン成分の微細気泡を含有した水を生成するので、水中の有害物質を除去して水に含まれているミネラル成分をそのまま保存している良質の水を生産できる。また、本発明は圧力タンクの内部及びその外部に隣接して全ての構成部品を集約して単一体で構成した集約型微細気泡発生装置を提供できる。
【発明を実施するための最良の形態】
【００２６】
図２に示すように、本発明に係る微細気泡発生装置１００は、動力部２３０と気泡発生部２４０で構成される。動力部２３０は電子制御部２１０のシステムにより制御され、モーター２０７を起動させてポンプ２０６を作動させる。ポンプ２０６の作動によって流入管２０１を通じて水タンクから流入した水は浄水フィルター２０２を経由してポンプ２０６に吸引される。これと同時に、電子制御部２１０は電子弁２０４を開放して給気管２０５を通じて流入した空気をポンプ２０６内に供給させる一方、第２真空チャンバーを作動させて第２真空チャンバー２０９内の圧縮空気が逆止弁２０８を経由してポンプ２０６内に供給されるようにする。これらの空気はポンプ２０６内で水と混ざり合いながら気泡発生部２４０の圧力タンク１０に供給される。
【００２７】
気泡発生部２４０は電源制御部２２０を具備して単独でシステムの作動が可能になっている。電源制御部２２０は三方弁２２５を制御して流入管２０１を通じて流入した水を圧力タンク１０に直接誘導して供給できる。さらに、電源制御部２２０は圧力検知部２２１を作動させて圧力タンク１０に供給される流入管２０１の水圧を検知し、検知した水圧に基づいてモーター２０７の作動可否を判断する。また、電源制御部２２０は第１真空チャンバー２２２を作動させて圧縮した外気を逆止弁２２３を経由して流入管に誘導した後、空気噴射ノズル２２６を通じて圧力タンク１０に供給する。圧力タンク１０は以下に詳細に記述するように、多量の微細気泡を含有した混用水またはバブル水をバブル膨脹ノズル２２７を通じて使用者に供給する。ここで、バブル膨脹ノズル２２７はシャワー栓に適用した噴射ノズルを意味する。圧力タンク１０の上部には後述する空気逆止弁３０及びスプレー２２５が設けられる。
【００２８】
次に、図３に示すように、微細気泡発生部１は水道栓２０に直結するために、それに隣接して設けられる。この気泡発生部１は圧力タンク１０を備え、この入力タンク１０はその下段に気泡発生制御部１１が設けられる。気泡発生制御部１１はその両側面に入口部２と出口部３が形成され、下部には排出口４が形成される。
【００２９】
入口部２は流入パイプ６を通じて水道栓２０を構成する水道栓装着部１８に連結され、これからの飲用水は圧力タンク１０内に流入するようになる。出口部３は以後詳細に記述するように、作られた多量の微細気泡を有する混合水を流出させる役割をする。この出口部３には供給パイプ７が結合されているので、出口部３に流出された微細気泡混合水はまた水道栓２０に供給され、飲用水や生活用水として使用する。
【００３０】
このように多量の微細気泡を有した混合水を作るためには、図４に示すように、微細気泡発生部１を構成する圧力タンク１０の下段に気泡発生制御機１１を設け、上部には空気逆止弁３０を設ける。その外にも、圧力タンク１０の上部には第１真空チャンバー２２２からの圧縮した外気をタンクの内部に導入するための空気ノズル２２６と、流入管２０１を通じて流入した水を圧縮噴射するスプレー２２５が設けられる。
【００３１】
気泡発生制御部１１は倒立したＴ字状の胴体１２で構成され、この胴体１２の垂直部５には入口部２からの水を圧力タンク１０内に誘導する第１案内通路１３と、圧力タンク１０からの水を出口部３に誘導する第２案内通路１４が形成される。垂直部５の下部にある水平部８にはシリンダー１５が形成される。このシリンダー１５は、その内部にスプリング１７によって弾支されるピストン１６が設けられる。また、ピストン１６を中心にシリンダー１５の一側、すなわちピストン１６の前面には第１案内通路１３と連通する第１連通孔１８が形成され、スプリング１７が内蔵されるシリンダー１５の他側、すなわちピストン１６の後面には第２案内通路１４と連通する第２連通孔１９が形成される。
【００３２】
したがって、入口部２から流入した飲用水の圧力が、例えば１．５ｋｇ／ｃｍ２以上である場合、ピストン１６は第２連通孔１９を密閉した状態になって排出部１４を閉鎖する。
【００３３】
圧力タンク１０は、その内部が所定の負圧を有する真空チャンバー３１で構成され、その上面にある空気逆止弁３０によって内部を所定の負圧状態に維持できる。
【００３４】
この空気逆止弁３０は図５に示すように、その内部に逆止弁２４を有する逆止弁胴体２５を備える。リング部２６はその外部周りに螺旋部が形成され、その内部にはスプリング２７により逆止弁２４が弾支されている。逆止弁胴体２５はリング部２６の一部が、その上段にネジ式で挿入され、リング部２６の上にはギャップ部２１がリング部２６とネジ式で螺合される。このギャップ部２１は、その上面に網２２が形成され、胴体の中間には円周周りに一つ以上のスリット２３が形成される。したがって、空気逆止弁３０は圧力タンク１０の上面で真空チャンバー３１と連通するように設けられ、逆止弁２４は真空チャンバー３１が所定圧力の負圧を形成する前には真空チャンバー３１を密閉状態に維持する。ここで、所定圧力とは、真空チャンバーの内部を負圧として気泡が発生するようにする圧力を意味する。
【００３５】
一方、再び図４を参照すれば、圧力タンク１０は気泡発生制御部１１と結合される状態になり、気泡発生制御部１１には第１案内通路１３の末端に隣接して物理的に微細気泡を発生させる微粒水発生器４０が設けられる。この微粒水発生器４０は真空チャンバー３１の内部の全長よりやや短い中空のパイプ３５を含み、その内部には網状の螺旋体３６が挿入され、上段には噴射口３８が形成される。第２の案内通路１４の先端部には、水粉碎機としての分配オリフィス４１が設けられる。この分配オリフィス４１も物理的に気泡を含有した混合水を最終的に微細化させるようにする。この分配オリフィス４１は、その胴体中心に針穴のような微細孔４２が形成され、円周周りには数多くの凹溝４３が形成される構造になっている。
【００３６】
図６に示すように、分配オリフィス４１の代りに、水粉碎機の他の実施形態としてノズル粉碎機５０を設けることができる。このノズル粉碎機５０は、上段にフランジ５２を有し、下段が密閉されたノズル胴体５１で構成される。図面では反対にして示したが、上段フランジ５２は出口部３の第２の案内通路１４の入口端に配置される。  
【００３７】
このノズル胴体５１の内部はノズル部５３が設けられる段差部５４が形成され、この段差部５４の下部には円周周りに多数のベンチュリ孔５５が形成される。ノズル部５３は４段で構成される。１段には第１リング５４ａと共に微細網状の対をなした第１ディスク５５ａ、５６ａが重なって位置し、その上には第２リング５４ｂと対をなした第２ディスク５５ｂ、５６ｂが位置し、第３リング５４ｃと対をなした第３ディスク５５ｃ、５６ｃが位置する。その上には第４リング５７が位置し、所定数の微細孔を有したノズル５８が位置して一体に組み立てられる。以後、このノズル粉碎機５０は、そのフランジ５２が第２案内通路１４の先端内部に嵌合される状態で固定されてノズル胴体５１と第２案内通路１４の内壁との間に微細間隙を形成する。したがって、ノズル粉碎機５０は微粒化された混合水を物理的により一層微細化させて微粒子を生成する。
【００３８】
さらに、この微細気泡発生部１は動力部２３０をさらに備える場合に、大容量の微細気泡を発生させることができ、このために流入管２０１のポンプ２０６を経由して空気と混ざり合った圧縮混合水が圧力タンク１０内に設けたスプレー２２５に供給されて噴射される。これと同時に、圧力タンク１０内では空気ノズル２２６から圧縮空気が噴射されて、微粒水とより一層活発に混ざり合うようになる。
【００３９】
この微細気泡発生制御部１１は微粒水発生部３５,分配オリフィス(41)やノズル粉碎機５０と空気逆止弁３０が圧力タンク１０と結合されて微細気泡発生部１が完成する。このような微細気泡発生部１は入口部２に所定圧力の飲用水が流入しながらシリンダー１５内のピストン１６を後進させて排出口４を密閉する。
【００４０】
したがって、第１案内通路１３に誘導された飲用水は微粒水発生部３５を通過しながら、網状の螺旋体３６とノズル孔３７によって粉砕され、微粒化されて噴射される。
【００４１】
このように噴射された飲用水は真空チャンバー３１内に誘導されて下段から上段に微細気泡の混合水が満たされるようになり、これによって、負圧または背圧が形成される。この時、より一層活発に圧縮空気が混合水と結合するので、ナノバブルと称する微細気泡が生成される。
【００４２】
以後、所定以上の負圧が形成されることによって、空気逆止弁３０が作動し、それから流入する空気はまた混合水と結合して微細気泡を続けて生成する。その後、多量の微細気泡を含んでいる混合水は分配オリフィス４１やノズル粉碎機５０を経由してより一層微粒化され、第２案内通路１４を経由して出口部３に連結された水道栓２０に１０μ以下の微細気泡を有した優秀し飲用水や生活用水として供給される。
【００４３】
排出口４は飲用水の供給がない場合、シリンダー１５内にピストン１６に加えられる圧力が解除された時、第２連通孔１９が開放されることによって、圧力タンク１０内に残っている水や残留物を排出させる。
【００４４】
このように構成される微細気泡発生部１は、図７に示すように、水道栓２０の水圧が所定値以下であるか、高い圧力の出力水を必要とするシャワー栓に適用する場合、モーターポンプ６０に適用できる。
【００４５】
すなわち、微細気泡発生部１は,モーターポンプ６０の入口部６１には水道栓２０やシャワー用水道栓(不図示)を連結でき、その出口６２側は流入パイプ６によって気泡発生制御部１１の入口部２に連結される。気泡発生制御部１１の出口部３にはパイプ７によってシャワー機６３や水道栓２０を連結できる。
【図面の簡単な説明】
【００４６】
【図１】従来技術の微細気泡発生装置の全体システムを示したブロック線図である。
【図２】本発明に係る集約型微細気泡発生装置の全体システムを示したブロック線図である。
【図３】本発明に係る集約型微細気泡発生装置を水道栓に直結して設けた状態を示した図面。
【図４】本発明に係る集約型微細気泡発生装置を詳細に示した断面図である。
【図５】本発明に係る空気逆止弁の一部が組み立てられた状態を示した分解斜視図である。
【図６】本発明に係る水粉碎機の他の実施形態を分解して示した分解斜視図である。
【図７】本発明の他の実施形態に係る集約型微細気泡発生装置をモーターポンプを適用した場合の実施形態を示した図面である。
【符号の説明】
【００４７】
１０    圧力タンク
１１    微細気泡発生制御部
４０    微粒水発生器
１００    微細気泡発生装置
２３０    動力部
２４０    微細気泡発生部
【図１】
2009045619.tif 000003
【図２】
2009045619.tif 000004
【図３】
2009045619.tif 000005
【図４】
2009045619.tif 000006
【図５】
2009045619.tif 000007
【図６】
2009045619.tif 000008
【図７】
2009045619.tif 000009